(57)【要約】【課題】キー数の少ない携帯電話等において文字選択のためのキー入力を減らすことで簡便に日本語を入力できるキーボードを用いた文章入力システムとそのキーボードを備えた電子機器を提供する。【解決手段】単語の入力に当って、データキーによって１文字目の文字が入力され、キーの押圧時間と待機時間との組み合わせで音節パターンを入力できるパターンキーによって単語を構成する全文字の音節パターンが逐次入力されることによって、先頭の文字と文字数と音節パターンの順列の組み合わせから音節パターン検索辞書によって単語候補が検索されて表示部に表示され、所望の単語が選択されて確定されることによって単語の入力が行われる。【選択図】図５
2005182597.tif 000002
【特許請求の範囲】
【請求項１】
電子機器が、文字を入力するデータキーと制御情報を入力する制御キーとを有するキーボード、画面表示装置、および制御手段を備え、前記データキーのそれぞれのキーには複数の文字が割り当てられており、仮名入力モードにおいては該キーの打鍵によって該キーに割り当てられた仮名の行の第１段の文字が選択され、続いての１回を含む連続打鍵の打鍵数によってその行の段が逐次選択されて文字が確定する、電子機器におけるキーボードを用いた文書入力システムにおいて、
前記キーボードには、日本語の単語を形成する仮名文字列のそれぞれの文字の音節モードを、キーの所定の押圧と待機との組み合わせによって順次入力するための１個のパターンキーが設けられており、
前記制御手段には、日本語の単語を形成する仮名文字列の最初の文字と、文字数と、文字列を構成する仮名文字の音節モードの順列とから、その条件に該当する単語を検索可能な音節パターン検索辞書が設けられており、
前記制御手段は、前記データキーの所定の打鍵によって日本語の単語の最初の仮名文字を確定した後、前記パターンキーから順次入力されるキーの所定の押圧と待機との組み合わせによって前記日本語の単語を形成する仮名文字列のそれぞれの文字の音節モードを確定し、前記音節パターン検索辞書から日本語の単語を形成する仮名文字列の最初の文字と、音節モードに対応する文字数と、文字列を構成する仮名文字の音節モードの順列とに対応する単語候補を選択して前記画面表示装置に表示し、その後の所定のキー入力に応じて表示された前記単語候補から所望の単語を選択することを特徴とするキーボードを用いた文書入力システム。
【請求項２】
前記音節モードは、清音、濁音、拗音、破裂音、長音、半濁音のいずれかである、請求項１に記載のキーボードを用いた文書入力システム。
【請求項３】
仮名文字列のそれぞれの文字の音節モードの、キーの所定の押圧と待機との組み合わせによる入力は、維持時間の単位を所定の基準時間としたときの、１基準時間の押圧、２基準時間の押圧、１基準時間の待機、０．５基準時間の待機を挟んだ２回の０．５基準時間の押圧、および０．５基準時間の待機を挟んだ３回の０．５基準時間の押圧であり、文字間の待機は１．５基準時間である、請求項１または請求項２に記載のキーボードを用いた文書入力システム。
【請求項４】
１基準時間の押圧が清音に、２基準時間の押圧が長音に、１基準時間の待機が破裂音に、０．５基準時間の待機を挟んだ２回の０．５基準時間の押圧が拗音に、０．５基準時間の待機を挟んだ３回の０．５基準時間の押圧が濁音・半濁音にそれぞれ割り当てられている、請求項３に記載のキーボードを用いた文書入力システム。
【請求項５】
仮名文字列のそれぞれの文字の音節モードの、キーの所定の押圧と待機との組み合わせによる入力は、維持時間の単位を所定の基準時間としたときの、０．５基準時間の間隔を置いた連続打鍵による押圧の回数により定義され、文字間の待機は１基準時間である、請求項１または請求項２に記載のキーボードを用いた文書入力システム。
【請求項６】
連続打鍵数１回が清音に、連続打鍵数２回が濁音・半濁音に、連続打鍵数３回が長音に、連続打鍵数４回が破裂音に、連続打鍵数５回が拗音にそれぞれ割り当てられている、請求項５に記載のキーボードを用いた文書入力システム。
【請求項７】
前記画面表示装置に表示された前記単語候補からの所望の単語の選択は、前記制御キーにおけるカーソルキーによる選択と、確定キーの打鍵による確定によって行なわれる、請求項１から請求項６のいずれか１項に記載のキーボードを用いた文書入力システム。
【請求項８】
前記画面表示装置に表示された前記単語候補からの所望の単語の選択は、前記データキーの所定の打鍵による所望の日本語の単語の第２の仮名文字以降の入力によって前記単語候補を絞り込むことによって行われる、請求項１から請求項６のいずれか１項に記載のキーボードを用いた文書入力システム。
【請求項９】
文字入力キーボードと、表示部と、キー入力制御部を含む制御部とを備えた電子機器であって、請求項１から請求項６の何れか１項に記載のキーボードを用いた文書入力システムを備えたことを特徴とする電子機器。
【請求項１０】
前記電子機器が携帯電話である請求項９に記載の電子機器。
【発明の詳細な説明】
【技術分野】
【０００１】
本発明は、キーボードを用いた文書入力システムに関し、特に仮名文字入力を行なうためのキーボードを備えた電子機器に関する。
【背景技術】
【０００２】
キーボードを備えた電子機器では、文字入力あるいは制御入力を行なうためのキーボードを用いて、平仮名、片仮名、数字、記号、英字アルファベットの多くの種類の文字や制御情報を電子機器に入力でき、さらに漢字を扱うための周知の仮名漢字変換技術により、漢字を含めた日本語の文章を取り扱うことができる。このとき、同一のキーボードから、多くの種類の文字を入力する必要があるので、文字入力モードを入力する文字の種類に対応した文字入力モードに切り替えて、文字入力が行われる。例えば、構造上の要求からキー数が制限される携帯電話では、図７のような少ないキーで、文字入力モードを切り替えて、日本語の入力を行なっている。図７に従ってさらに詳細に説明すると、図７は、従来例の携帯電話のキーボードの一例であり、キーボード７００は、２４個のキーからなっており、キーは制御キー部分７１０とデータキー部分７３０とから構成されている。データキー部分７３０の数字キー７３１から７３９および７４１は数字入力モードで数字１から０の１０個の数字を入力するキーであり主として電話番号の入力に使用される。これらのキーは、また、平仮名入力モードあるいは片仮名入力モードあるいは英字入力モードにおいてそれぞれのキーに割り当てられた文字を入力できる。
【０００３】
平仮名入力モードあるいは片仮名入力モードにおいては、仮名の５０音図の各行の仮名文字をその行が割り当てられた各キーの打鍵回数で段を指定して入力する。例えば、キー７３２を打鍵するごとに[か]→[き]→[く]と変化し、５回連続して打鍵することにより［こ］が入力される。１回を含む連続打鍵に引き続いて他のキーが打鍵されることによって同一キーの連続打鍵は終了したとみなされ最後の文字が確定する。
【０００４】
制御キー部分７１０のキーの機能の配分はキーボードを備えた電子機器の目的と機能に対応して行なわれこの１２個に限定されるものではない。
【０００５】
このキー入力方法の操作性の向上を図るために種々な方法が提案されており、例えばキー押下がなされている状態が所定時間継続したとき、または所定時間内に２回のキー押下がなされた時に、キー押下の回数を表す係数値から所定値を減じ、所定値を減じた後もキー押下がなされている状態が継続した時には、所定時間ごとに１を減じて、係数値の減算を行なうことで、キー押下を多くしすぎたときに、そのキーを少ない回数押下するだけで、候補として選択されるコードをその前に候補として選択されていたものに戻すことができ、また、キー押下がなされた後に、キー押下がなされない状態が所定時間継続したときには、候補としているコードを入力として確定するキー入力方法が開示されている（特許文献１参照）。
【特許文献１】特開２００３−９９１８０号公報
【発明の開示】
【発明が解決しようとする課題】
【０００６】
このように、携帯電話等の数字キーを利用して文字入力を行なう場合は、キー数が少ないことをカバーするために、１つのキーに多数の文字を割り当てる方法が一般的となっている。しかしながらこの方法では目的の文字を入力するために、まずその文字が割り当てられたキーを探し、次にキーに割り当てられた文字の行の中から目的の文字が表示されるまで複数回そのキーを押圧する必要がある。更にキーを押し過ぎた場合は、もう一度目的の文字を表示させるためにキーに割り当てられた文字が一巡するまでキーを押さなければならず、操作が非常に面倒で扱いにくいという問題があった。
【０００７】
特許文献１に記載の方法では、促音あるいは拗促音の入力操作が節減され、漢字変換の入力を節減できという効果があるが、単語入力自体のキー入力を合理化するものではない。
【０００８】
本発明の目的は、キー数の少ない携帯電話等において文字選択のためのキー入力を減らすことで簡便に日本語を入力できるキーボードを用いた文章入力システムとそのキーボードを備えた電子機器を提供することにある。
【課題を解決するための手段】
【０００９】
本発明のキーボードを用いた文書入力システムは、
電子機器が、文字を入力するデータキーと制御情報を入力する制御キーとを有するキーボード、画面表示装置、および制御手段を備え、データキーのそれぞれのキーには複数の文字が割り当てられており、仮名入力モードにおいてはそのキーの打鍵によってそのキーに割り当てられた仮名の行の１段目の文字が選択され、続いての１回を含む連続打鍵の打鍵数によってその行の段が逐次選択されて文字が確定する、電子機器におけるキーボードを用いた文書入力システムである。キーボードには、日本語の単語を形成する仮名文字列のそれぞれの文字の音節モードを、キーの所定の押圧と待機との組み合わせによって順次入力するための１個のパターンキーが設けられており、制御手段には、日本語の単語を形成する仮名文字列の最初の文字と、文字数と、文字列を構成する仮名文字の音節モードの順列とから、その条件に該当する単語を検索可能な音節パターン検索辞書が設けられており、制御手段は、データキーの所定の打鍵によって日本語の単語の最初の仮名文字を確定した後、パターンキーから順次入力されるキーの所定の押圧と待機との組み合わせによって日本語の単語を形成する仮名文字列のそれぞれの文字の音節モードを確定し、音節パターン検索辞書から日本語の単語を形成する仮名文字列の最初の文字と、音節モードに対応する文字数と、文字列を構成する仮名文字の音節モードの順列とに対応する単語候補を選択して画面表示装置に表示し、その後の所定のキー入力に応じて表示された単語候補から所望の単語を選択することを特徴とする。ここで音節モードは、清音、濁音、拗音、破裂音、長音、半濁音のいずれかであることが好ましい。
【００１０】
仮名文字列のそれぞれの文字の音節モードの、キーの所定の押圧と待機との組み合わせによる入力は、維持時間の単位を所定の基準時間としたときの、１基準時間の押圧、２基準時間の押圧、１基準時間の待機、０．５基準時間の待機を挟んだ２回の０．５基準時間の押圧、および０．５基準時間の待機を挟んだ３回の０．５基準時間の押圧であり、文字間の待機は１．５基準時間であってもよく、１基準時間の押圧が清音に、２基準時間の押圧が長音に、１基準時間の待機が破裂音に、０．５基準時間の待機を挟んだ２回の０．５基準時間の押圧が拗音に、０．５基準時間の待機を挟んだ３回の０．５基準時間の押圧が濁音・半濁音にそれぞれ割り当てられていてもよい。
【００１１】
仮名文字列のそれぞれの文字の音節モードの、キーの所定の押圧と待機との組み合わせによる入力は、維持時間の単位を所定の基準時間としたときの、０．５基準時間の間隔を置いた連続打鍵による押圧の回数により定義され、文字間の待機は１基準時間であってもよく、連続打鍵数１回が清音に、連続打鍵数２回が濁音・半濁音に、連続打鍵数３回が長音に、連続打鍵数４回が破裂音に、連続打鍵数５回が拗音にそれぞれ割り当てられていてもよい。
【００１２】
画面表示装置に表示された単語候補からの所望の単語の選択は、制御キーにおけるカーソルキーによる選択と、確定キーの打鍵による確定によって行なわれてもよく、データキーの所定の打鍵による所望の日本語の単語の第２の仮名文字以降の入力によって単語候補を絞り込むことによって行われてもよい。
【００１３】
本発明のキーボードを備えた電子機器は、
文字入力キーボードと、表示部と、キー入力制御部を含む制御部とを備えた電子機器であって、上述のキーボードを用いた文書入力システムを備えたことを特徴とする。ここで電子機器が携帯電話であってもよい。
【００１４】
本発明では、従来の問題点の解決手段として、目的の単語の文字数とそれぞれの文字の清音、濁音、拗音、破裂音、長音、半濁音の音節パターンを１つのキーからその押す回数と押すタイミングによって入力することで、文字の音節パターンと文字数と入力された最初の１文字あるいは複数文字とが一致する単語候補を表示し、表示された候補の中から目的語を選択することで文字入力の際に押すキーの種類と押す回数を減らすことができる。
【発明の効果】
【００１５】
本発明のキーボードを用いた文書入力システムでは、単語入力における仮名入力のためのキー操作の回数を減らすことができると共にキー操作時間も短縮でき、操作者への負担を大幅に軽減することができるという効果がある。
【００１６】
これは、単語を入力する場合に先頭の仮名１文字を従来の方法で入力した後は、パターン入力キーだけを所定の動作で押せばその条件に対応する単語の候補が表示され、その中から選択すればよいからである。
【発明を実施するための最良の形態】
【００１７】
次に、本発明の実施の形態について図面を参照して説明する。先ず本発明の実施の形態のキーボードを備えた電子機器の構成と機能について説明する。図１は本発明の実施の形態のキーボードを備えた電子機器の構成を示すブロック構成図である。
【００１８】
電子機器１は、制御装置１０と、制御キーとデータキーとを有し制御装置１０での処理の対象となる情報を出力するキーボード２０と、制御装置１０で処理された出力情報を表示する表示部３０とから構成され、制御装置１０は入力部１１と、制御部１２と、記憶部１４と、出力部１７とを有し、入力部１１はキーボード２０からの入力情報を入力し、制御部１２のキー入力制御部１３は、キー入力情報を処理し、必要に応じ記憶部１４の音節パターン検索辞書１５に基づいて先頭の仮名１文字と音節パターン入力キーから入力された全文字数と各文字の音節パターンとに対応する単語を検索し、あるいは仮名漢字変換辞書１６に基づいて入力情報を漢字変換し、出力部１７はキー入力制御部１３で処理された出力情報を外部に出力する。キー入力制御部１３で処理された情報は必要に応じて制御部１２内で加工され、また記憶部１４に記憶される。
【００１９】
図２は本発明の実施の形態のキーボードを備えた電子機器のキーボードのキー配置図である。キーボード２００のデータキー部分２３０の文字キーの打鍵によって入力された文字が確定され、電子機器１の制御部１２により所定の目的に従って利用される。
【００２０】
図２を参照すると本発明の実施の形態のキーボード２００は携帯電話のキー入力のためのキーボードであり、制御キー部分２１０とデータキー部分２３０とを有し、データキー部分２３０は数字並びに文字入力に使用される１０個のキーと記号の入力や特定の目的の入力に用いられる２個のキーの１２個のキーとからなり、さらに本発明の特徴である音節パターン入力用の１個のパターンキー２４３を備えている。図２ではパターンキー２４３は数字の０入力キー２４１の下側に配置されているがこれに限定されるものではなく、キーの配置可能な場所であればどこでもよく、例えば図２の制御キー２２１の場所であってもよく、可能であれば筐体の側面であってもよい。
【００２１】
制御キー部分２１０におけるキーの機能の配分は、キーボードを備えた電子機器の目的と機能に対応して行なわれこの１２個に限定されるものではない。ここでは本実施の形態で使用されるカーソルキー２１２、２１４、２１６、２１８と確定キー２１５とメニューキー２１３とを個別に表示している。最近の携帯電話では４個のカーソルキーと確定キーとが一体となってポインティングデバイスとなっているものが多いが機能は独立キーの場合と変わらない。
【００２２】
データキー部分２３０の数字キー２３１から２３９および２４１は数字入力モードでは数字１から０の１０個の数字を入力するキーである。これらのキーは通常電話番号の入力に使用されるが、また、平仮名入力モードあるいは片仮名入力モードあるいは英字入力モードにおいてそれぞれに割り当てられた文字およびその行の仮名文字を入力でき、キー面には割り当てられた文字が表示されているが、仮名については割り当てられた行の１段目の文字が表示されている。
【００２３】
平仮名入力モードあるいは片仮名入力モードにおいては、仮名の５０音図の各行の仮名文字を各キーの１回以上の打鍵回数で区別して入力する。例えば、キー２３２を打鍵するごとに[か]→[き]→[く]と変化し、キー２３２を５回連続して打鍵することにより、［こ］が入力される。連続打鍵に引き続いての他のキーの打鍵により同一キーの連続打鍵は終了したとみなされる。
【００２４】
パターン入力キー２４３は、単語を構成する文字列を各文字の音節パターンで入力するキーであって、単語入力の場合に所望の単語の最初の文字を上述の文字キーの１回以上の打鍵で入力した後に、単語を構成する文字列を各文字の音節パターンを、例えば清音、長音、破裂音、濁音・半濁音、拗音が区別できる形でその文字数だけ逐次入力する。
【００２５】
即ち、単語を入力する際にまず単語の最初の文字を決定後、単語の文字数に対応した清音、濁音、拗音、破裂音、長音、半濁音の音節パターンを、１つのキーからその押す回数と押すタイミングによって区別して入力し、これによって制御装置１０のキー入力制御部１３が、記憶部１４の音節パターン検索辞書１５から最初の文字と文字数と音節パターンとが一致する単語を候補として検索して表示部３０に表示し、操作者が選択して確定する。
【００２６】
表示部３０に表示された単語候補の選択には２種類の方法があり、第１の方法はカーソルキーによる単語候補の選択と確定キー２１５の打鍵による確定の方法であり、第２の方法は所望の単語の２番目の文字を上述の文字キーの１回以上の打鍵で入力することにより、音節パターン検索辞書１５から最初の文字と第２の文字と文字数と音節パターンとが一致する単語を候補として検索して表示部３０に表示させることによって単語候補を絞り込む方法である。これでも複数の単語候補が残るときにはカーソルキーによる単語候補の選択と確定キー２１５の打鍵によって選択し、１個に絞られた場合は確定キー２１５の打鍵によって確定させる。なお単語候補が多いときには、さらに所望の単語の３番目の文字を上述の文字キーの１回以上の打鍵で入力することにより、音節パターン検索辞書１５から最初と第２と第３の文字と文字数と音節パターンとが一致する単語を候補として検索して表示部３０に表示させることによってさらに単語候補を絞り込む。第２の方法は単語候補が多く所望の単語が画面に表示されない場合などに有効である。
【００２７】
これによって、キーの少ない携帯電話等において文字選択のために操作者が押すキーの種類と押す回数を減らすことができ、日本語入力の簡便化を図ることができる。
【００２８】
次に、本発明の実施の形態のキーボードを備えた電子機器を用いた文字入力方法について具体的に説明する。図３は本発明の実施の形態のキーボードを備えた電子機器におけるパターンキーを用いた音節パターンの入力方法の第１例を示す模式図であり、図４は音節パターンの画面表示例と文字入力表示画面の模式図であり、ａ）が音節パターンの画面表示例であり、ｂ）が文字入力表示画面の模式図であり、図５は図３の音節パターン入力方法を用いた単語の入力例を示すフローチャートである。
【００２９】
それぞれの音節パターンのパターンキー２４３を用いた入力方法は、図３に示す通りであり、所定の時間を基準時間としたとき、清音はパターンキー２４３の基準時間の押圧、長音はパターンキー２４３の基準時間の２倍の時間の押圧、破裂音はパターンキー２４３の基準時間の待機、濁音・半濁音はパターンキー２４３の基準時間の１／２の待機を挟んだ３回の基準時間の１／２の押圧、拗音はパターンキー２４３の基準時間の１／２の待機を挟んだ２回の基準時間の１／２の押圧、文字間は基準時間の１．５倍の待機であり、終了は基準時間の２．５倍以上の待機である。
【００３０】
パターンキー２４３による入力時の表示部３０の文字入力時の画面は図４（ｂ）に模式的に記載した画面となっており、文字入力表示画面４００は先頭文字表示領域４０１、音節パターン列表示領域４０２、選択候補表示領域４０３、文章入力領域４０４より構成され、音節パターン列表示領域４０２には、音節パターンを視覚的に判別し易くするために清音、濁音、長音、拗音、破裂音、半濁音を図形化した図４（ａ）に示す記号で各音節が表示されている。
【００３１】
ここでは、単語の「あさがお」の文字入力を例として図５のフローチャートを参照して説明する。最初にデータキー２３０を用いて１字目の文字を入力する。ここではデータキー２３１を１回打鍵する（Ｓ１１）。それによりキー入力制御部１３の処理により表示部３０の先頭文字表示領域４０１に打鍵に対応した文字、ここでは「あ」が表示される（Ｓ１２）。
【００３２】
次に、パターンキー２４３で単語を構成する全文字の音節パターンを逐次入力する。この入力開始により先頭文字表示領域４０１の「あ」は確定する。ここでは、「清音・清音・濁音・清音」、即ち「１ｔ押圧・１．５ｔ待機・１ｔ押圧・１．５ｔ待機・０．５ｔ押圧・０．５ｔ待機・０．５ｔ押圧・０．５ｔ待機・０．５ｔ押圧・１．５ｔ待機・１ｔ押圧・２．５ｔ以上待機（ｔは基準時間）」となる（Ｓ１３）。それによってキー入力制御部１３の処理により表示部３０の音節パターン列表示領域４０２に図４に示す記号列が表示され、この条件に適合する文字列が音節パターン検索辞書１５より選択されて、「あいがも」、「あさがお」、「あそざん」、「あんどん」の文字列が選択候補表示領域４０３に表示され、先頭の「あいがも」に例えば背景表示のようなカーソルが表示される（Ｓ１４）。
【００３３】
ここで、２番目の「あさがお」が目的の単語なので、カーソルキー２１８を押圧してカーソルを下げて「あさがお」に合わせ、確定キー２１５で確定させる（Ｓ１５）。それによってキー入力制御部１３の処理により表示部３０の文章入力領域４０４の末尾に「あさがお」が表示され、先頭文字表示領域４０１、音節パターン列表示領域４０２、選択候補表示領域４０３の表示はリセットされ入力待ち状態に変わる。
【００３４】
漢字変換を行なう場合には、変換キーを押圧すると公知の仮名漢字変換システムで「あさがお」を「朝顔」に変換でき（Ｓ１７）、文章入力領域４０４の末尾の「あさがお」は「朝顔」に変換される。これまでのキーとキーとの間の指の動きは選択までの３回である。これに対し従来の文字入力方法での指の動きはキー２３１→キー２３３→キー２３２→キー２４２（濁点）→キー２３１の５回である。パターンキー２４３の押圧数は６回であり、第１文字の押圧数１、カーソルキーの押圧数１、確定キーの押圧数１を加えると９回である。これに対し従来の文字入力方法では「あ」１回、「さ」１回、「か」１回＋濁点入力回数、「お」５回、確定の１回の計９回＋濁点入力回数である。
【００３５】
ここでは、選択候補からの選択をカーソルキー２１８と確定キーとで行なったが、例えば選択候補が多く目的の単語が表示画面に表示されないような場合には、上述のように単語の２字目の文字を通常の文字入力方法、この例では文字入力キー２３３の打鍵と確定動作とで「さ」を入力し、選択候補を１個に絞り込むようにしてもよい。
【００３６】
次に、本発明の実施の形態のキーボードを備えた電子機器におけるパターンキーを用いた音節パターンの入力方法の第２例について説明する。図６は本発明の実施の形態のキーボードを備えた電子機器におけるパターンキーを用いた音節パターンの入力方法の第２例を示す模式図である。
【００３７】
第１例では、パターンキー２４３の押圧と待機の時間の組み合わせで音節パターンを区別していたが、第２例では図６に示すように、音節パターンを区別するためのパターンキー２４３の打鍵数と文字間の待機で音節パターンを区別している。第２例では最も発生頻度が高い清音を１打鍵とし、次に頻度の高い濁音・半濁音を２連続打鍵、以下長音を３連続打鍵、破裂音を４連続打鍵、拗音を５連続打鍵とし、文字間を基準時間の待機、終了は基準時間の２倍以上の待機としている。
【００３８】
第１例と同じ「あさがお」を第２例の方法で入力すると、最初は第１例と同じくデータキー２３０を用いて１字目の文字を入力する。ここではデータキー２３１を１回打鍵する。それによりキー入力制御部１３の処理により表示部３０の先頭文字表示領域４０１に打鍵に対応した文字、ここでは「あ」が表示される。
【００３９】
次に、パターンキー２４３で単語を構成する全文字の音節パターンを逐次入力する。ここでは、「清音・清音・濁音・清音」、即ち「１打鍵・１ｔ待機・１打鍵・１ｔ待機・２打鍵・１ｔ待機・１打鍵・１．５ｔ以上待機（ｔは基準時間）」となる。それによって第１例と同じくキー入力制御部１３の処理により表示部３０の音節パターン列表示領域４０２に図４に示す記号列が表示され、選択候補表示領域４０３にこの条件に適合する文字列が音節パターン検索辞書１５より選択されて、「あいがも」、「あさがお」、「あそざん」、「あんどん」の文字列が表示され、先頭の「あいがも」に例えば背景表示のようなカーソルが表示される。それ以降の選択・確定動作は第１例と同じなので説明を省略する。第１例のようにパターンキー２４３の押圧時間を考慮しなくてもよいので打鍵リズムに慣れれば入力は容易となる。パターンキー２４３の（打鍵）押圧数は５回であり、第１文字の押圧数１、カーソルキーの押圧数１、確定キーの押圧数１を加えると８回である。
【００４０】
これまで二つのキーパターン入力方法を説明したが、音節パターンの入力方法としてはこれ以外にも例えば、パターンキーと他のキーとの組み合わせによる清音、濁音、拗音、破裂音、長音、半濁音パターンの入力や、他のキーとの同時押圧によるパターン入力方法や、キーを押す力の強弱によるパターン入力方法等が可能である。また、清音、濁音、拗音、破裂音、長音、半濁音の各キーパターン及びキーを押すタイミングを操作者が個別に設定可能とすることで更に操作性を良くすることも可能である。この場合には制御キーのメニューキー２１３を押圧して表示部３０の画面に入力方法を表示しその中から所望の入力方法を選択確定するようにしてもよい。また、文字入力キーにより先頭文字を決定した後に同じ文字入力キーを用いてキーパターンを入力するように設定することも可能である。
【００４１】
以上の本発明の実施の形態においては、携帯電話に適用した場合で説明したが、これに限られることはなく、例えばＰＤＡ(携帯型情報端末)のように、主として携帯に便利なように小型化を図る目的からキーボードの同一キーに複数の文字が割り当てられるキーボードからの文字入力に広く適用できる。また、キーボードとしては、物理的なキーボードに限られることはなく、画面表示を使用した仮想的なキーボードであってもよい。
【図面の簡単な説明】
【００４２】
【図１】本発明の実施の形態のキーボードを備えた電子機器の構成を示すブロック構成図である。
【図２】本発明の実施の形態のキーボードを備えた電子機器のキーボードのキー配置図である。
【図３】本発明の実施の形態のキーボードを備えた電子機器におけるパターンキーを用いた音節パターンの入力方法の第１例を示す模式図である。
【図４】音節パターンの画面表示例と文字入力表示画面の模式図である。ａ）は音節パターンの画面表示例である。ｂ）が文字入力表示画面の模式図である。
【図５】図３の音節パターン入力方法を用いた単語の入力例を示すフローチャートである。
【図６】本発明の実施の形態のキーボードを備えた電子機器におけるパターンキーを用いた音節パターンの入力方法の第２例を示す模式図である。
【図７】従来例の携帯電話のキーボードの一例である。
【符号の説明】
【００４３】
１    電子機器
１０    制御装置
１１    入力部
１２    制御部
１３    キー入力制御部
１４    記憶部
１５    音節パターン検索辞書
１６    仮名漢字変換辞書
１７    出力部
２０    キーボード
３０    表示部
２００、７００    キーボード
２１０、７１０    制御キー部分
２１１〜２４２、７１１〜７４２    キー
２３０、７３０    データキー部分
２４３    パターンキー
４００    文字入力表示画面
４０１    先頭文字表示領域
４０２    音節パターン列表示領域
４０３    選択候補表示領域
４０４    文章入力領域
Ｓ１１〜Ｓ１８    ステップ
【図１】
2005182597.tif 000003
【図２】
2005182597.tif 000004
【図３】
2005182597.tif 000005
【図４】
2005182597.tif 000006
【図５】
2005182597.tif 000007
【図６】
2005182597.tif 000008
【図７】
2005182597.tif 000009